(57)【要約】【課題】陳列用部材の正面にお客様がいなくてもお客様が物品を認識することが可能な陳列用部材、及び、物品陳列方法を提供する。【解決手段】陳列用部材１０は、什器本体１００と交差する第１方向に延びるとともに、物品５０を陳列するように構成されている。陳列用部材１０は、保持部材２０を備えている。保持部材２０は、物品５０を保持するように構成されている。保持部材２０は、少なくとも１つのフック２２を含んでいる。フック２２は、物品５０を掛けるように構成されるとともに、第１方向と交差する第２方向に延びている。【選択図】図１
2019208540.tif 000002
【特許請求の範囲】
【請求項１】
什器本体と交差する第１方向に延びるとともに、物品を陳列するように構成された陳列用部材であって、
前記物品を保持するように構成された保持部材を備え、
前記保持部材は、少なくとも１つのフックを含み、
前記フックは、前記物品を掛けるように構成されるとともに、前記第１方向と交差する第２方向に延びている、陳列用部材。
【請求項２】
前記フックの先端が前記フックの根元よりも前記什器本体から遠い、請求項１に記載の陳列用部材。
【請求項３】
前記フックの先端が前記フックの根元よりも前記什器本体に近い、請求項１に記載の陳列用部材。
【請求項４】
前記保持部材は、複数の前記フックを含む、請求項１から請求項３のいずれか１項に記載の陳列用部材。
【請求項５】
什器本体と交差する第１方向に延びるとともに、物品を陳列するように構成された陳列用部材を準備するステップと、
前記陳列用部材において、前記第１方向と交差する第２方向に前記物品が向くように前記物品を陳列するステップとを含む、物品陳列方法。
【発明の詳細な説明】
【技術分野】
【０００１】
本発明は、陳列用部材及び物品陳列方法に関する。
【背景技術】
【０００２】
特開２０１１−１３６０８４号公報（特許文献１）は、商品を吊支するように構成された支杆を備える商品陳列用吊支装置を開示する。この商品陳列用吊支装置において、支杆は、店内の壁面等に配設された横桟部材に取り付けられている。支杆は、たとえば店内の壁面から前方に突出している（特許文献１参照）。
【先行技術文献】
【特許文献】
【０００３】
【特許文献１】特開２０１１−１３６０８４号公報
【発明の概要】
【発明が解決しようとする課題】
【０００４】
上記特許文献１に開示されている商品陳列用吊支装置において、吊支されている物品（商品）は商品陳列用吊支装置の前方を向いている。この場合に、お客様は、商品陳列用吊支装置の正面に来るまで、物品を認識し難い。
【０００５】
本発明は、このような問題を解決するためになされたものであって、その目的は、陳列用部材の正面にお客様がいなくてもお客様が物品を認識することが可能な陳列用部材、及び、物品陳列方法を提供することである。
【課題を解決するための手段】
【０００６】
本発明のある局面に従う陳列用部材は、什器本体と交差する第１方向に延びるとともに、物品を陳列するように構成されている。陳列用部材は、保持部材を備えている。保持部材は、物品を保持するように構成されている。保持部材は、少なくとも１つのフックを含んでいる。フックは、物品を掛けるように構成されるとともに、第１方向と交差する第２方向に延びている。
【０００７】
この陳列用部材においては、陳列用部材が延びる方向（第１方向）と交差する方向（第２方向）にフックが延びている。すなわち、この陳列用部材においては、物品が陳列用部材の正面ではなく第２方向を向く。したがって、この陳列用部材によれば、お客様が陳列用部材の正面にいなくてもお客様に物品を認識してもらうことができる。
【０００８】
上記陳列用部材において、フックの先端がフックの根元よりも什器本体から遠くてもよい。
【０００９】
この陳列用部材において、フックの先端は、陳列用部材の前方寄りの方向を向いている。したがって、この陳列用部材によれば、お客様が陳列用部材から物品を容易に取り外すことができる。
【００１０】
上記陳列用部材において、フックの先端がフックの根元よりも什器本体に近くてもよい。
【００１１】
この陳列用部材において、フックの先端は、什器本体寄りの方向を向いている。したがって、この陳列用部材によれば、物品の取外しが容易ではないため、万引き等の被害を抑制することができる。
【００１２】
上記陳列用部材において、保持部材は、複数のフックを含んでいてもよい。
【００１３】
この陳列用部材によれば、複数のフックの各々に異なる種類の物品を掛けることによって、一つの陳列用部材で複数種類の物品を陳列することができる。
【００１４】
本発明の他の局面に従う物品陳列方法は、什器本体と交差する第１方向に延びるとともに、物品を陳列するように構成された陳列用部材を準備するステップと、陳列用部材において、第１方向と交差する第２方向に物品が向くように物品を陳列するステップとを含んでいる。
【００１５】
この物品陳列方法においては、陳列用部材が延びる方向（第１方向）と交差する方向（第２方向）に物品が向くように物品が陳列される。したがって、この物品陳列方法によれば、お客様が陳列用部材の正面にいなくてもお客様に物品を認識してもらうことができる。
【発明の効果】
【００１６】
本発明によれば、陳列用部材の正面にお客様がいなくてもお客様が物品を認識することが可能な陳列用部材、及び、物品陳列方法を提供することができる。
【図面の簡単な説明】
【００１７】
【図１】陳列用部材の斜視図である。
【図２】陳列用部材を側方（左方）から見た図である。
【図３】陳列用部材を下方から見た図である。
【図４】陳列用部材を後方から見た図である。
【図５】スライドレールが最も短くなった状態の陳列用部材を側方（左方）から見た図である。
【図６】スライドレールが最も長くなった状態の陳列用部材を側方（左方）から見た図である。
【図７】変形例１に従う陳列用部材を下方から見た図である。
【図８】変形例２に従う陳列用部材を左方から見た図である。
【図９】変形例３に従う陳列用部材を下方から見た図である。
【図１０】変形例４に従う陳列用部材を下方から見た図である。
【図１１】変形例５に従う陳列用部材を左方から見た図である。
【発明を実施するための形態】
【００１８】
以下、本発明の実施の形態について、図面を参照しながら詳細に説明する。なお、図中同一又は相当部分には同一符号を付してその説明は繰り返さない。
【００１９】
［１．概要］
図１は、本実施の形態に従う陳列用部材１０の斜視図である。陳列用部材１０は、たとえば、薬局やコンビニ等の店舗において、商品（物品）を陳列するために用いられる。
【００２０】
図１に示されるように、陳列用部材１０は、たとえば、店舗の什器本体１００に取り付けられるように構成されている。陳列用部材１０は、什器本体１００が延びる方向と略直交（交差）する方向（前方）に延びるとともに、物品５０を陳列するように構成されている。
【００２１】
具体的には、陳列用部材１０において、各物品５０は、フック２２に掛けられている。陳列用部材１０において、前方にはポップホルダ２３（プレート）が設けられている。ポップホルダ２３には、複数（２つ）のポップ６０が挟まれている。複数のポップ６０の各々には、たとえば、物品５０の「商品名」、「価格」、「宣伝文句」等を示す情報が含まれている。
【００２２】
陳列用部材１０においては、店舗内で、陳列された物品５０の存在をユーザ（お客様）に気付かせるための種々の工夫が取り入れられている。以下、陳列用部材１０の構成及び動作について順に説明する。
【００２３】
［２．陳列用部材の構成］
図２は、陳列用部材１０を側方（左方）から見た図である。図２を参照して、矢印Ｌ方向は陳列用部材１０の左方を示し、矢印Ｒ方向は陳列用部材１０の右方を示す。矢印Ｆ方向は陳列用部材１０の前方を示し、矢印Ｂ方向は陳列用部材１０の後方を示す。矢印Ｕ方向は陳列用部材１０の上方を示し、矢印Ｄ方向は陳列用部材１０の下方を示す。矢印ＬＲＦＢＵＤ方向の各々は、各図面において共通である。
【００２４】
図２に示されるように、陳列用部材１０は、角バー固定部４０と、スライドレール３０と、保持部材２０とを含んでいる。
【００２５】
角バー固定部４０が什器本体１００（図１）の角バーに固定されることによって、陳列用部材１０が什器本体１００に固定される。角バー固定部４０は、たとえば、金属で構成されており、固定部本体４１と、固定用ネジ４２，４３とを含んでいる。固定部本体４１は、什器本体１００の角バーに掛かるように構成されている。固定部本体４１において、矢印Ｆ方向及び矢印Ｄ方向の各々の面にはネジ穴が設けられている。矢印Ｆ方向の面に設けられたネジ穴に固定用ネジ４２が係合し、矢印Ｄ方向の面に設けられたネジ穴に固定用ネジ４３が係合する。固定部本体４１が什器本体１００の角バーに掛けられた状態で、固定用ネジ４２，４３の各々を締めることによって、角バー固定部４０が角バーに固定される。
【００２６】
スライドレール３０は、矢印ＦＢ方向（前後方向）に伸縮するように構成されている。スライドレール３０は、たとえば、金属で構成されており、アウターレール３１と、インナーレール３２とを含んでいる。アウターレール３１は矢印ＦＢ方向に延びており、矢印Ｂ方向の端部が角バー固定部４０に固定されている。たとえば、アウターレール３１における矢印Ｂ方向の端部は、ネジによって角バー固定部４０に固定されている。アウターレール３１の上面には、矢印ＦＢ方向に延びる溝が形成されている。
【００２７】
インナーレール３２は、矢印ＦＢ方向に延びており、アウターレール３１の上面に形成された溝内を矢印ＦＢ方向にスライド可能に構成されている。アウターレール３１上におけるインナーレール３２の可動範囲は予め決まっており、インナーレール３２がアウターレール３１から外れることはない。スライドレール３０において、インナーレール３２の上面は、アウターレール３１の上端よりも上方に位置している。スライドレール３０としては、公知の種々のスライドレールを用いることができる。
【００２８】
保持部材２０は、物品５０（図１）を保持するように構成されている。保持部材２０は、保持部材本体２１と、複数（２つ）のフック２２と、ポップホルダ２３とを含んでいる。
【００２９】
図３は、陳列用部材１０を下方から見た図である。図４は、陳列用部材１０を後方から見た図である。図３及び図４に示されるように、保持部材本体２１は、たとえば、厚紙で形成されており、上板部２１０と、右板部２１１と、左板部２１２と、後板部２１３と、前板部２１４とを有している。
【００３０】
上板部２１０は、たとえばネジによって、インナーレール３２に固定されている。上板部２１０がインナーレール３２に固定されているため、保持部材２０は、インナーレール３２とともに、アウターレール３１上を矢印ＦＢ方向に移動可能である。右板部２１１は上板部２１０の右端から下方に延びており、左板部２１２は上板部２１０の左端から下方に延びている。左板部２１２の矢印ＵＤ方向（上下方向）の長さは、右板部２１１の矢印ＵＤ方向の長さよりも短い（図２）。後板部２１３は、右板部２１１の矢印Ｂ方向の端部から矢印Ｌ方向に延びている。前板部２１４は、上板部２１０の前端から下方に延びている。前板部２１４の矢印ＬＲ方向の長さは、たとえば、物品５０（図１）の幅方向（矢印ＦＢ方向）の長さと略同一である。
【００３１】
複数のフック２２の各々は、右板部２１１に固定されている。たとえば、フック２２の矢印Ｒ方向の端部に形成されたツメが右板部２１１に形成された孔に係合することによって、各フック２２は右板部２１１に固定されている。各フック２２の矢印ＵＤ方向における固定位置は、左板部２１２の下端よりも下方、かつ、右板部２１１の下端よりも上方である（図２）。各フック２２は、矢印ＬＲ方向に延びている。すなわち、各フック２２は、スライドレール３０（陳列用部材１０）が延びる方向と略直交（交差）する方向に延びている。各フック２２に掛けられた物品は、矢印Ｌ方向を向く。したがって、ユーザは、矢印Ｌ方向からフック２２に掛けられた物品５０の前面を視認することができる。
【００３２】
ポップホルダ２３は、ポップ６０（図１）を挟むように構成されている。ポップホルダ２３は、前板部２１４に貼り付けられている。ポップホルダ２３における矢印ＵＤ方向の長さは、保持部材本体２１の各板部（右板部２１１，左板部２１２，後板部２１３，前板部２１４）の矢印ＵＤ方向の長さよりも長い。陳列用部材１０の正面（矢印Ｆ方向の場所）に位置するユーザは、陳列された物品５０ではなく、ポップホルダ２３に挟まれたポップ６０を視認可能である。
【００３３】
［３．動作］
図５は、スライドレール３０が最も短くなった状態の陳列用部材１０を側方（左方）から見た図である。図６は、スライドレール３０が最も長くなった状態の陳列用部材１０を側方（左方）から見た図である。
【００３４】
図５及び図６に示されるように、アウターレール３１上においてインナーレール３２が矢印Ｂ方向（後方向）に移動すると、保持部材２０が什器本体１００側（角バー固定部４０側）に移動する。保持部材２０の可動範囲における保持部材２０の最も後方（矢印Ｂ方向）の位置を「第１の位置」とも称する。
【００３５】
一方、アウターレール３１上においてインナーレール３２が矢印Ｆ方向（前方向）に移動すると、保持部材２０が什器本体１００とは反対側に移動する。保持部材２０の可動範囲における保持部材２０の最も前方（矢印Ｆ方向）の位置を「第２の位置」とも称する。すなわち、陳列用部材１０においては、保持部材２０が第１の位置と第２の位置との間で移動するように構成されている。
【００３６】
［４．陳列方法］
陳列用部材１０を用いた物品５０の陳列方法について次に説明する。まず、作業者は、陳列用部材１０と什器本体１００とを用意する。作業者は、什器本体１００を所望の場所に配置し、什器本体１００の角バーの所望の位置に陳列用部材１０を取り付ける。この状態で、陳列用部材１０が角バーと略直交する方向（矢印ＦＢ方向）に延びている。作業者は、陳列用部材１０の左方からフック２２に物品５０を掛ける。所望の数の物品５０が掛けられると、陳列作業は完了する。
【００３７】
［５．特徴］
＜５−１＞
以上のように、本実施の形態に従う陳列用部材１０においては、保持部材２０が第１の位置と第２の位置との間で移動可能である。第２の位置は、第１の位置よりも前方に突出した位置である。通常、店舗において商品（物品）の在庫の数が減少すると、たとえば、什器から前方に延びるフックにおいては、商品が奥まった位置にのみ配置されることとなる。この場合には、奥まった位置に配置された商品が目立たないという事態が生じ得る。また、奥まった位置に配置された商品は、フックから取り外しにくい。陳列用部材１０においては、保持部材２０が前後方向に可動であり、保持部材２０を第２の位置に配置することによって物品５０を前方に配置することができる。したがって、陳列用部材１０によれば、物品５０の在庫が少なくなったとしても、保持部材２０を第２の位置に配置することによって、物品５０を目立たせることができる。また、陳列用部材１０によれば、保持部材２０を第２の位置に配置することによって、物品５０のフック２２からの取外し易さを向上することができる。
【００３８】
＜５−２＞
また、陳列用部材１０においては、保持部材２０が複数のフック２２を含んでいる。保持部材２０が複数のフック２２を含む理由について次に説明する。近年、都市部の薬局等においては、店舗面積の狭小化が進んでいる。従来であれば、什器から前方に延びるフックには１種類の商品（物品）しか配置できなかった。この場合には、店舗面積が狭くなる程、店舗内に配置可能な商品の種類が減少する。そこで、陳列用部材１０においては、保持部材２０に複数のフック２２を設けることによって、１つの陳列用部材１０で陳列可能な物品５０の種類を増やしている。これにより、狭い店舗であっても、多種の商品を陳列することができる。なお、陳列用部材１０の矢印ＬＲ方向の長さは、物品５０の幅方向の長さと略同一であるため、什器から前方に延びる１本のフックに商品を陳列する場合と比較して、単位面積当たりで陳列可能な商品の種類は増加しているといえる。
【００３９】
＜５−３＞
また、陳列用部材１０においては、複数のフック２２の各々が、陳列用部材１０が延びる方向と交差する方向（略矢印ＬＲ方向）に延びている。すなわち、陳列用部材１０においては、各物品５０が陳列用部材１０の正面（矢印Ｆ方向）ではなく、矢印Ｌ方向を向く。したがって、この陳列用部材１０によれば、陳列用部材１０の正面にいないユーザ（たとえば、陳列用部材１０の左方に位置するユーザ）に物品５０を認識させることができる。また、インナーレール３２の矢印ＦＢ方向への移動が勢いよく行なわれると、矢印ＦＢ方向の力が物品５０に加わる。しかしながら、各フック２２が矢印ＬＲ方向に延びているため、矢印ＦＢ方向に力が加わったとしても、物品５０がフック２２から落下する可能性は低い。
【００４０】
＜５−４＞
また、陳列用部材１０においては、前端（矢印Ｆ方向の端部）にポップホルダ２３が設けられている。ポップホルダ２３は、陳列用部材１０に陳列される物品５０の種類に応じた数のポップ６０（図１）を挟むことができる。たとえば、陳列用部材１０において、各物品５０が側方（矢印Ｌ方向）を向いていたとしても、陳列されている各物品５０のポップをポップホルダ２３に挟んでおくことで、陳列用部材１０の正面に位置しているユーザに各物品５０の存在をアピールすることができる。また、ポップホルダ２３は、面積が比較的広いため、物品５０のパッケージには表示しきれない物品５０の訴求ポイント等を記載したポップ６０を挟むことができる。これにより、物品５０の訴求ポイントを十分にユーザに認識させることができる。
【００４１】
＜５−５＞
また、陳列用部材１０においては、保持部材本体２１が矢印ＬＲ方向に延びる後板部２１３を有する。保持部材本体２１が後板部２１３を有する理由について次に説明する。インナーレール３２の矢印ＦＢ方向への移動が勢いよく行なわれると、上述のように、物品５０に矢印ＦＢ方向の力が加わる。この場合に、物品５０は、フック２２を軸にして矢印ＦＢ方向に揺れようとする（回動しようとする）。しかしながら、陳列用部材１０においては、保持部材本体２１がポップホルダ２３（前板部２１４）及び後板部２１３を有し、揺れようとする物品５０がポップホルダ２３（前板部２１４）及び後板部２１３に接触する。これにより、物品５０の揺れが抑制される。すなわち、後板部２１３は、たとえば、インナーレール３２の移動に伴う物品５０の揺れを抑制するために設けられている。
【００４２】
［６．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００４３】
＜６−１＞
上記実施の形態においては、保持部材２０において、フック２２が左方にのみ延びていた。しかしながら、保持部材においてフックが延びる方向は左方に限定されない。たとえば、保持部材は、左方に延びるフックと、右方に延びるフックとの両方を有していてもよい。また、保持部材は、前方に延びるフックを有していてもよい。また、保持部材は、斜め前方に延びるフックを有していてもよいし、斜め後方に延びるフックを有していてもよい。
【００４４】
図７は、変形例１（フックが左右に延びている例）に従う陳列用部材１０Ａを下方から見た図である。図７に示されるように、陳列用部材１０Ａは、角バー固定部４０Ａを介して什器本体１００に取り付けられている。陳列用部材１０Ａに含まれている保持部材２０Ａおいては、フック２２Ａが左右方向に延びている。保持部材２０Ａにおいては４本のフック２２Ａが設けられているため、陳列用部材１０Ａによれば、より多くの種類の物品５０Ａを陳列することができる。
【００４５】
図８は、変形例２（フックが前方に延びている例）に従う陳列用部材１０Ｂを左方から見た図である。図８に示されるように、陳列用部材１０Ｂに含まれている保持部材２０Ｂにおいては、フック２２Ｂが前方に延びている。
【００４６】
図９は、変形例３（フックが斜め前方に延びている例）に従う陳列用部材１０Ｃを下方から見た図である。図９に示されるように、陳列用部材１０Ｃに含まれている保持部材２０Ｃにおいては、フック２２Ｃが斜め前方に延びている。言い換えると、フック２２Ｃの先端がフック２２Ｃの根元よりも什器本体１００から遠い。陳列用部材１０Ｃによれば、陳列用部材１０Ｃの斜め前方に位置するユーザに物品５０Ｃの存在を気付かせることができる。また、陳列用部材１０Ｃにおいては、フックが左右方向を向いている場合と比較して、フック２２Ｃがより前方寄りの方向を向いている。したがって、陳列用部材１０Ｃの正面に立っているユーザは、陳列用部材１０Ｃから物品５０Ｃを容易に取り外すことができる。
【００４７】
図１０は、変形例４（フックが斜め後方に延びている例）に従う陳列用部材１０Ｄを下方から見た図である。図１０に示されるように、陳列用部材１０Ｄに含まれている保持部材２０Ｄにおいては、フック２２Ｄが斜め後方に延びている。言い換えると、フック２２Ｄの先端がフック２２Ｄの根元よりも什器本体１００に近い。すなわち、フック２２Ｄの先端は、什器本体１００寄りの方向を向いている。陳列用部材１０Ｄによれば、物品５０Ｄの取外しが容易ではないため、万引き等の被害を抑制することができる。
【００４８】
＜６−２＞
また、上記実施の形態においては、保持部材２０において、フック２２に物品５０が陳列された。しかしながら、物品５０の陳列は必ずしもフック２２によって行なわれる必要はない。たとえば、スライドレールに引出し付きの箱が取り付けられ、箱に設けられた引出し内に物品が陳列されてもよい。
【００４９】
図１１は、変形例５に従う陳列用部材１０Ｅを左方から見た図である。図１１に示されるように、陳列用部材１０Ｅにおいて、スライドレール３０Ｅには保持部材２０Ｅが取り付けられている。スライドレール３０Ｅが矢印ＦＢ方向に伸縮するため、保持部材２０Ｅは、矢印ＦＢ方向に移動可能である。保持部材２０Ｅにおいては、複数の引出し２５が設けられている。各引出し２５には、物品５０Ｅが陳列されている。引出し２５の数を複数設けることによって、複数種類の物品を陳列することができる。また、保持部材２０Ｅには、ポップホルダ２７が設けられている。ポップホルダ２７には、各引出し２５に陳列される各物品５０Ｅの情報を示すポップを挟むことができる。
【００５０】
＜６−３＞
また、上記実施の形態においては、保持部材２０を矢印ＦＢ方向に移動させる「移動部材」としてスライドレール３０が採用された。しかしながら、保持部材２０を矢印ＦＢ方向に移動させる部材は、必ずしもスライドレール３０である必要はない。移動部材は、たとえば、伸縮可能な棒状部材等であってもよい。
【００５１】
＜６−４＞
また、上記実施の形態において、陳列用部材１０は、什器本体１００と略直交する方向に延びていた。しかしながら、陳列用部材１０が延びている方向は、什器本体１００と略直交する方向に限られない。陳列用部材１０が延びる方向は、什器本体１００が延びる方向と交差していればよい。
【００５２】
＜６−５＞
上記実施の形態においては、保持部材２０に２つのフック２２が設けられた。しかしながら、保持部材２０に設けられるフック２２の数は２つに限定されない。たとえば、保持部材２０に設けられるフック２２の数は１つであってもよいし、３つ以上であってもよい。
【００５３】
＜６−６＞
上記実施の形態においては、保持部材２０の前面にポップホルダ２３が設けられた。しかしながら、保持部材２０の前面に設けられるプレートは、必ずしもポップホルダ２３である必要はない。たとえば、保持部材２０の前面に、板状のポップが直接貼り付けられてもよい。
【符号の説明】
【００５４】
１０，１０Ａ，１０Ｂ，１０Ｃ，１０Ｄ，１０Ｅ  陳列用部材、２０，２０Ａ，２０Ｂ，２０Ｃ，２０Ｄ，２０Ｅ  保持部材、２１  保持部材本体、２２，２２Ａ，２２Ｂ，２２Ｃ，２２Ｄ  フック、２３，２７  ポップホルダ、２５  引出し、３０，３０Ａ，３０Ｂ，３０Ｃ，３０Ｄ，３０Ｅ  スライドレール、３１  アウターレール、３２  インナーレール、４０，４０Ａ，４０Ｂ，４０Ｃ，４０Ｄ，４０Ｅ  角バー固定部、４１  固定部本体、４２，４３  固定用ネジ、５０，５０Ａ，５０Ｂ，５０Ｃ，５０Ｄ，５０Ｅ  物品、６０  ポップ、１００  什器本体、２１０  上板部、２１１  右板部、２１２  左板部、２１３  後板部、２１４  前板部。
【図１】
2019208540.tif 000003
【図２】
2019208540.tif 000004
【図３】
2019208540.tif 000005
【図４】
2019208540.tif 000006
【図５】
2019208540.tif 000007
【図６】
2019208540.tif 000008
【図７】
2019208540.tif 000009
【図８】
2019208540.tif 000010
【図９】
2019208540.tif 000011
【図１０】
2019208540.tif 000012
【図１１】
2019208540.tif 000013